(57)【要約】【目的】椅子に座る事によって、効果的なリラクゼーションが得られるように、背中を押して支える背当て用機器において構造を改良して、最もリラクゼーションに適したものとなすこと及び、軽量、コンパクトな形にして利用範囲を広い背当てよう機器となすこと。【構成】人が椅子に座るときの筋肉の負荷を減らすために、支点３１を設けて、第１凸部２３及び第２凸部２８の受ける荷重をバランスさせる構造となしたもの。【選択図】　　図４
2004105676.tif 000002
【特許請求の範囲】
【請求項１】
第１凸部２３、第２凸部２８、ベース３４で構成する背当て用機器。
【請求項２】
第１凸部５０、第２凸部５１、ベース４９、板ゴム４７、ゴムボス４６、パイプレール４５より構成する背当て用機器。
【請求項３】
第１凸部５０、第２凸部５１、ベース４９、スプリング５５ベース５６より構成する背当て用機器。
【請求項４】
第１凸部５０、第２凸部５１、ベース４９、スプリング５５ベース５６、ショックアブソーバ６０より構成する背当て用機器。
【請求項５】
クッション材６６、ベース６７、空間８０より構成される枕。
【発明の詳細な説明】
【０００１】
【発明の属する技術分野】
本発明は椅子の背もたれ、又は椅子の背もたれのアタッチメントとして使用し、背中を支える目的の背当て用機器に関するものである。
【０００２】
【従来の技術】
一般に椅子は背もたれ部にもたれることにより、筋肉を緩めて休め、楽になるためのものである。
しかし、腰椎の部分だけを背もたれに密着させずに、不自然な形で長く座るなどすると、健康にも悪い影響を及ぼす。
そこで、本出願人は先に図１、図２に示すように、人４の背中の上部５と、人４の背中の下部６を同時に支えるために、背中の上部５を支える第１凸部１と背中の下部６を支える第２凸部２を分離して設け、第１凸部１と第２凸部２との間に角度調整機構３を設け、回転自在かつ任意の位置で、第１凸部１と第２凸部２との間の相対的な角度が調節できる「腰掛用家具」を提案した。（特許昭６３−１５３４２８号）
この提案の腰掛家具を使用することにより、筋肉に負荷を掛けることなく、脊椎を伸ばし、腹部や胸部が前方に開いた形で座ることが出来るようになしたものである。
また、この様な姿勢と筋肉の弛緩は脳のリラックスと集中、精神活動によい影響を与えるとともに、自律神経や臓器にもよい影響を与えることが確かめられているものである。
図３に示すものは、腰痛により膝を曲げて脚部を机の上にのせて座るなどした場合は、椅子に座る姿勢は体のバランスをとるため、背中が丸くなることがあるが、この様な場合にも対応できる機器として提案した「腰掛け用家具における背中と腰部の支持具」である。
第１凸部１５、第２凸部１６、が夫々軸１３、軸１４を中心に回転すること、及び第１アーム１０、第２アーム１１、バネ１７、バネ１８によって前方へ押し出されることによって、椅子の背もたれより背中の上部５が離れた場合にも対応できる構造となしている。
角度調節機構１２は椅子の背もたれと背中の上部５との距離の差を、バネ１７、バネ１８の伸縮だけでは調整できない場合に用いる構造である。
【０００３】
【発明が解決しようとする課題】
図１及び図３に示す従来の技術、「腰掛用家具」「腰掛け用家具における背中と腰部の支持具」はこれを使用することで、上半身の筋肉の力を抜いて、正しい姿勢保持ができること、及び脊椎の中心を主体として左右の筋肉のバランスを促すこと、中心を意識することなど、リラクゼーションさせてストレスを解消するための要件を満たせる機器として優れている。
しかし本発明は、さらに利便性のある機器となすこと及び、さらに深いリラクゼーションを得ることを課題としたものであって、具体的には以下の２点の課題を解決することである。
図１及び図３に示す従来の技術の機器は角度調節機構３及び角度調節機構１２が設けてあるため形状が大きく、シート部が広い椅子にしか適用できない欠点がある。
この欠点を、従来の技術の良い機能を損なわずに改善して、コンパクトで持ち運びも可能で、広く汎用の椅子に適用できる背当て用機器となすことを第一の課題とした。
第二の課題は、従来の技術の機器よりさらに使用感の良がよく、さらに深いリラクゼーションを得る機器となすことである。
【０００４】
【課題を解決するための手段】
第一番目の課題は、角度調節機構３及び角度調節機構１２を用いて行う必要のある、調節角度は使用の実態では、大きなものでなく３０度程度であることに着目して、角度調節機構１２を取り外し、第１凸部１５及び第２凸部１６の相対的な角度変化及び、角度調節機構１２に変えてベース７の中央部に外周に転がりやすい円周形状面を有する支点３１を設けて、この支点３１の転がりによってベース７の傾きを変えることで、従来の機器の機能を損なうことなく改善できることに着目し、コンパクトで性能の高い背当て機器となしたものである。
さらに、ベース７をゴム材とするときにはバネ１７、バネ１８の有する後方へのクッション機能、角度調節機能も併せ持つこととなり、材料変更の効果があること。
また、人４が椅子に座り椅子の背もたれへ、上体を倒して寄りかかるとき、これを１点で支えるときには、背中の上部５を押して支える場合と、背中の下部６を押して支える場合を比較すると、背中の下部６で支えるほうがトルクは同じでも大きな力が必用となるが、第１凸部１５と第２凸部１６においても、人体が姿勢維持に要する筋肉の自然な負荷の状態に合わせて支え、支えた力に見合う筋肉の負荷を筋肉の弛緩でとり除くことが、他の場所への筋肉負荷を発生させないことで、より高い筋肉の弛緩とリラクゼーションに繋がることに着目した。
したがって、背中の上部５を押して支える第１凸部１５と背中の下部６を押して支える第２凸部１６との力のバランスが取れるような機構となすことが必要であって、この機構として支点３１をもうけて支点３１の上下に回転力を発生させること及び、ゴムの板４７、スプリング５４・スプリング５５を設けることで解決したものである。
座る傾きを角度調節機構３や角度調節機構１２で行う場合は、回転の中心が１点で固定しているため、体の動きと相対的なずれが生じるが、支点３１を設け、支点３１の転がりによる傾き角度の調整の場合は、軸の中心を回転させるのでなく転がりなので、中心が移動して自然な体の動きに近くなる。
また転がることは、接触点が移動するので上下の回転力を発生させる支点の位置も移動する、したがって背中の上部５を押す力と背中の下部６を押す力バランスが支点３１を設けることで容易になった。
これを図４で説明する。
背中の上部５を支える第１凸部２３と背中の下部６を支える第２凸部２８の力がアーム３０の上で自然にバランスしているとき、第２凸部２８に力を加えるとアーム３０は傾き支点３１と椅子の背もたれとの接触点は第２凸部２８に近くなり、第２凸部２８側からの押す力当たりの回転力を小さくして、バランスさせるほうへ働く作用がある。
上部５を支える第１凸部２３と背中の下部６を支える第２凸部２８の力のバランスを取るための支点の位置は、背中の位置や個人の体形により異なるので、軸のような中心が固定的なものでは、支点の位置に問題があったが。支点３１を設けることでこれを解決したものである。
ゴム板４７及びスプリング５４、スプリング５５を上下に配置してベース４９で連結して、相互に干渉させてバランスをとる方法をとった。
筋肉系から脳に伝え、より深いリラクゼーションを得るためには、充分な筋肉の弛緩が必要であったが、縦方向の筋肉のバランスを取ることで第二番目の課題を解決し、使用感の良い機器となすことに成功したものである。
【０００５】
【発明の実施の形態】
図４は本発明の支点を利用してバランスをとる構造の背当て機器の実施例を示す。
第１凸部２３はクッション部２１及びベース２０、ボス２２より構成され、第２凸部２８はクッション部２６及びベース２５とボス２７より構成され、支持ベース３４は軸受け２４、軸受け２９、アーム３０支点３１より構成されている。
第１凸部２３は軸１９を介して、第２凸部２８は軸３２を介して、夫々支持ベース３４に連結された構造となっている。
支持ベース３４を椅子の背もたれに置き、第１凸部２３を背中の上部に、第２凸部２８を背中の下部へあてがって、本機器を背中と椅子の背もたれとの間に挟んで、背中を椅子の背もたれのほうへ、倒してもたれかかって利用するものである。
このとき、第１凸部２３、第２凸部２８は、夫々軸１９、軸３２を介して回転し、脊椎の形に添って、背中の中心部を縦長に支えることにより姿勢を維持し、中心を意識させて、筋肉を弛緩させても、身体を前方へ自然に開かせる作用がある。
また、支点３１は背中のもたれる角度に追従して、背もたれの表面を転がり移動して、第１凸部２３と第２凸部２８が背中を押して支える力をバランスさせて筋肉の弛緩を助ける作用がある。
【０００６】
支持ベース３４の材質は鋼板のような剛体でも可能（支点３１は摩擦力の関係でゴム材がベストである）であるが、ゴム材を使うと撓みが大きくとれることから、もたれ角の追従性の向上と使用感の良さを得る事が出来る。
強度の強い硬質のゴムを用いるときには、単体でも材料として使用できるが、軟質のゴムを使用する場合には補強が必要となる。
図５は軟質のゴムを材料に使用した場合の構造について示している。
アーム３０を軟質のゴム材とし、鋼板を材料とした金属アーム３６、金属アーム３７をアーム３０に軸３９、軸４１、軸４３でセットして、補強するとともに、金属アーム３６と金属アーム３７の交叉点である軸４３を中心として回転できる構造となっている。
これにより、軟質ゴム材の撓みを充分に利用できるものである。
【０００７】
【実施例】
支点３１は第１凸部２３と第２凸部２８の中間点ではなく、大きな負荷のかかる第２凸部の近くに設定するが、図６に示すものは、支点３１をアーム３０の外枠の形とし、アーム３１ａとアーム３１ｂに２分割して、移動調整できる構造のものである。
図７はその使用例を示すものであって、支点３１ａと視点３１ｂを両端離してセットして枕として利用する、特殊な使用方法を示すものである。
図７に示す形の場合には、第１凸部２３と第２凸部２８の中間の空間８０に首筋より後頭部にかけた部分（第１環椎の付近）をのせることにより、枕としての利用も可能である。
図８は第１凸部５０と第２凸部５１及びベース４９を一体構造の共通凸部５２とし、第１凸部５０と第２凸部５１の受ける荷重を板ゴム４７の撓みで吸収し、座る姿勢による角度の追従、上下の力の配分をバランスさせるものである。
ゴム板４７は上下に分割しないで、一体化してベース４９の中央へ設置する方法が実用的である。
ゴム板４７を使用することは、第１凸部５０、第２凸部５１間の上下のバランスをとることの他、左右のバランスをとる作用も発生することから、筋肉を弛緩させ体の歪を取るときには、本機器を使用して、第１凸部５０、第２凸部５１の反発力を感じ、意識して姿勢を維持し、力を抜くことで充分な筋肉の弛緩と体の歪の修正に役立つものである。
使用方法は足４８を椅子のシートに置き、椅子の背もたれに立てかけて使用する。
身長の差による、高さの調整は、パイプレール４５上をゴムのボス４６を移動して行う。
図９は、図８に示す構造のものを板ゴム４７に変えて、スプリング５４、スプリング５５を使用した構造のものを示す。
図１０は、図９に示す構造のものにショックアブソーバ６０を付設して、ショックアブソーバ６０の先端６０ａがベース５６の表面５６ａに到達したときに作用するようになした構造のものを示す。
【０００８】
本考案の機器は枕としての利用も可能であることから、図４に示す構造のものを、枕として垂直方向に使用する場合の例を図１１に示す。
椅子の背もたれ６４の高さが充分にある椅子においては、第１凸部２３を人６１の後頭部６２（第１環椎の付近）の中心にあてがい、第２凸部２８を胸椎の上部６３付近の背中に当てて使用するものである。
図７に示す構造の機器を枕として利用するとき場合の説明を先に記述したが、この場合第１凸部２３と第２凸部２８の中間の空間８０に首筋より後頭部にかけた部分（第１環椎の付近）をのせると、第１凸部２３と第２凸部２８が回転して、図１２に示すクッション材の凸部６６とベース６７を対照的に配置した、逆三角形の頂点部が空間８０となった構造となり、首筋を挟んで伸ばし固定するので、椅子などに付設して使用すると首筋が軽くなり安静感を得るものであることを発見した。　図１２、図１３によって、本考案の応用による枕の椅子への利用例を説明する。
クッション材６６は首筋より後頭部にかけた部分（第１環椎の付近）を支えるためのもので、頭部の全体を支えるものではないので、幅の狭い形状とし、ベース６７に付設して、逆三角形の頂点部が空間８０とるように対照的に配置し枕とする。
枕の位置を決める方法は、パイプ７２、ボス７０、固定用ネジ７１による角度の調整、パイプ６９、ボス６８、固定ネジ７３による高さの調整、パイプ６９、角度調節機構７４によるパイプ６９とパイプ７５の相対角度の調節で行う。
【０００９】
【発明の効果】
支点３１、板ゴム４７の使用により、背中を支える上下の力のバランスが良くなり、正しいリラクゼーションのための姿勢維持に必要な背筋周辺の筋肉ストレスを小さくできる事及び使用感が良くなったこと。
角度調節機構１２を外せたことにより、軽量でコンパクトな形となって、携帯して使用することが可能となった。
本機器を自動車用椅子にアダプターとして使用した、使用テストにおいてはにおいては、カオス的な振動が加わることから、マッサージ効果があり、運転時の集中力が途切れない、内臓の負担が軽くなり気分がよくなったなどの報告が多くあり、乗り物用の椅子にも応用できる背当て用機器である。
本発明による機器を利用する事により、大きなリラクゼーションが得られ、ストレス解消・集中力の増加・ストレスからくる疾病の予防等の効果があることから、ストレスのない明るい社会作りに貢献できるものと考える。
また本考案の機器を枕として使用するときには、頭部が挟まれることで動きが抑えられ、首筋を主体に支えることから、首筋が伸び安定すること、体が自然に真っ直ぐになる（左右にねじれない）、安静感が得られるなどの効果がある。
さらに、空間８０によって、後頭部に熱が溜まらないので、イライラの防止など頭寒の効果がある。
【図面の簡単な説明】
【図１】図１は従来の「腰掛け用家具」の斜視図である。
【図２】図２は従来の「腰掛け用家具」の使用実態を示す側面図である。
【図３】図３は従来の「腰掛け用家具における支持具」の側面図である。
【図４】図４は本発明による背当て用機器の実施例を示す側面図である。
【図５】図５は本発明による背当て用機器の実施例を示す側面図である。
【図６】図６は本発明による背当て用機器の実施例を示す側面図である。
【図７】図７は本考案による背当て用機器の実施例を示す側面図である。
【図８】図８は本発明による背当て用機器の実施例を示す斜視図である。
【図９】図９は本発明による背当て用機器の実施例を示す側面図である。
【図１０】図１０は本発明による背当て用機器の実施例を示す側面図である。
【図１１】図１１は本発明による背押し用機器の使用例を示す側面図である。
【図１２】図１２は本発明による枕の実施例を示す鳥瞰図である。
【図１３】図１３は本発明による枕の使用例を示す側面図である。
【符号の説明】
７　　ベース板
７ａ　ベース板上
７ｂ　ベース板下
８　　軸
９　　軸
１２ａ　調節レバー
３３　　支持パイプ
３５　　スプリングの強度調節部
４０　　孔
４２　　孔
４４　　孔
５２　　共通凸部
５３　　スプリング止め
５６　　ベース
５７　　ネジ部
５８　　ボルト
５９　　スプリング固定用リング
６５　　椅子のシート
７６　　頭
７７　　人の上体
７８　　首
７９　　肩
【図１】
2004105676.tif 000003
【図２】
2004105676.tif 000004
【図３】
2004105676.tif 000005
【図４】
2004105676.tif 000006
【図５】
2004105676.tif 000007
【図６】
2004105676.tif 000008
【図７】
2004105676.tif 000009
【図８】
2004105676.tif 000010
【図９】
2004105676.tif 000011
【図１０】
2004105676.tif 000012
【図１１】
2004105676.tif 000013
【図１２】
2004105676.tif 000014
【図１３】
2004105676.tif 000015